(57)【特許請求の範囲】
【請求項１】
多人数を収容する空間部を有する建物の天井の周縁部において、
前記空間部の前方のステージ側と後方の客席側との長手方向における前記周縁部では後方からの天井仕上げ材の縁部から見切り縁を立ち上げ、該見切り縁の上端面と所要の隙間のスリットを設けて前方へ天井仕上げ材を配設し、
前記長手方向に直交する短手方向の左右壁側における前記周縁部では天井仕上げ材の縁部から見切り縁を立ち上げ、該見切り縁の上端面と所要の隙間のスリットを設けて前記左右の壁に到るまで天井仕上げ材を配設してなること、
を特徴とするホール天井における耐震スリット構造。
【請求項２】
天井仕上げ材の縁部から見切り縁を立ち上げて、該見切り縁の上端面と所要の隙間のスリットを設けて天井仕上げ材を配設して形成される空間は、間接照明用の空間部であること、
を特徴とする請求項１に記載のホール天井における耐震スリット構造。
【請求項３】
左右の壁に到るまで配設した天井仕上げ材は、天井スラブから吊りボルト及びブレースで補強して固定されるとともに、壁下地材の上端面に至って配設されていること、
を特徴とする請求項１または２に記載のホール天井における耐震スリット構造。
【発明の詳細な説明】
【技術分野】
【０００１】
本発明は、ホール天井における耐震スリット構造に関するものである。
【背景技術】
【０００２】
大空間を有する建物のホール天井は、その仕上げにおいて天井・壁を縁切りすることなく仕上げた場合、地震時の揺れによって仕上げが破損する。また、天井・壁縁切りの為、図６に示すように、壁下地材の受材として、鉄骨下地を取り付ける場合がある。また、特許文献１に記載のように、天井の変位を抑制して周囲壁面への衝突を避ける耐震天井構造が知られている。
【先行技術文献】
【特許文献】
【０００３】
【特許文献１】特開２００８−１３８４６４号公報
【発明の概要】
【発明が解決しようとする課題】
【０００４】
しかし、従来のホール天井における耐震構造において、天井・壁縁切りの為に壁下地材の受材として鉄骨下地を取り付けると、コストアップとなる。また、天井の変位を吸収する制震装置を設けるのは部品点数が増えて工事費が嵩むとともに工期も長くなる課題がある。本発明に係るホール天井における耐震スリット構造は、このような課題を解決するために提案されたものである。
【課題を解決するための手段】
【０００５】
本発明に係るホール天井における耐震スリット構造の上記課題を解決して目的を達成するための要旨は、多人数を収容する空間部を有する建物の天井の周縁部において、前記空間部の前方のステージ側と後方の客席側との長手方向における前記周縁部では後方からの天井仕上げ材の縁部から見切り縁を立ち上げ、該見切り縁の上端面と所要の隙間のスリットを設けて前方へ天井仕上げ材を配設し、前記長手方向に直交する短手方向の左右壁側における前記周縁部では天井仕上げ材の縁部から見切り縁を立ち上げ、該見切り縁の上端面と所要の隙間のスリットを設けて前記左右の壁に到るまで天井仕上げ材を配設してなることである。
【０００６】
また、前記天井仕上げ材の縁部から見切り縁を立ち上げて、該見切り縁の上端面と所要の隙間のスリットを設けて天井仕上げ材を配設して形成される空間は、間接照明用の空間部であることを含み、
更に、左右の壁に到るまで配設した天井仕上げ材は、天井スラブから吊りボルト及びブレースで補強して固定されるとともに、壁下地材の上端面に至って配設されていることを含むものである。
【発明の効果】
【０００７】
本発明のホール天井における耐震スリット構造によれば、内装仕上げ材による耐震用のスリットを形成したので、前記スリットが外観上気にならず、天井の破損などを防止できる。また、部品点数も少ないので、コストが掛からず工期も短縮できる。
また、耐震スリットを設ける場所が、ホール天井の間接照明用の空間部なので、天井仕上げの破損が最小限に抑えられる。更に、前記左右の壁に到るまで配設した天井仕上げ材によって、壁下地材にも連結固定されていることで、壁下地の受け材としての鉄骨を不要としてコストが軽減される。
【図面の簡単な説明】
【０００８】
【図１−Ａ】本発明に係るホール天井の、短手方向側の天井仕上げ材における耐震スリット構造    を示す一部拡大断面図である。
【図１−Ｂ】同本発明に係るホール天井の、長手方向側の天井仕上げ材における耐震スリット構造    を示す一部拡大断面図である。
【図２】同本発明のホール天井における左右方向における耐震スリット構造の断面図である。
【図３】同本発明のホール天井における長手方向における耐震スリット構造の断面図である。
【図４】同本発明のホール天井を平面視して、耐震スリット構造の位置を太い破線で示す平面図ある。
【図５】同本発明に係るホール天井の短手方向における耐震スリット構造で、壁下地との取り合いを示す一部拡大断面図である。
【図６】従来例に係るホール天井の短手方向における耐震スリット構造で、壁下地との取り合いを示す一部拡大断面図である。
【発明を実施するための形態】
【０００９】
本発明に係るホール天井における耐震スリット構造は、図１−Ａ及び図１−Ｂに示すように、ホール天井５の壁際の間接照明用の空間部９において、天井仕上げ材にスリット７を設けるものである。
【実施例１】
【００１０】
本発明に係るホール天井における耐震スリット構造は、例えば、１００人以上の多人数を収容する空間部（ホール）を有する建物の天井５の周縁部５ａ，５ｂに、地震の被害を最小に抑えるスリット７を設けるものである。具体的には、図１−Ａ及び図２の図中Ａ部に示すように、前記空間部１の前方のステージ２側と後方の客席３（図３参照）側とを長手方向として、前記長手方向に直交する短手方向の左右壁４，４側における前記天井５の周縁部５ａでは、天井仕上げ材の縁部５ａから見切り縁６を立ち上げ、該見切り縁６の上端面６ａと所要の隙間（例えば、５ｍｍ程度）のスリット７を設けて前記左右の壁４に到るまで天井仕上げ材８を配設してなる。
【００１１】
図１−Ａに示すように、前記天井仕上げ材５の縁部５ａから見切り縁６を立ち上げて、該見切り縁の上端面６ａと所要の隙間のスリット７を設けて天井仕上げ材８を配設して形成される空間は、間接照明用の空間部９である。
【００１２】
また、図１−Ｂ及び図３の図中Ｂ部に示すように、前記空間部１の前方のステージ２側と後方の客席３側との長手方向における前記周縁部５ｂでは後方からの天井仕上げ材１０（５ｃ）の縁部１０ａから見切り縁６を立ち上げ、該見切り縁６の上端面６ａと所要の隙間（例えば、５ｍｍ程度）のスリット７を設けて前方へ天井仕上げ材５ｃ（１１）を配設するものである。
【００１３】
前記天井５は、図４に示すように、ホールの中央部から周辺部に到り、周縁部５ａ，５ｂを示す太い破線の内側に配設されるものである。また、図２に示すように、天井スラブ１３から吊りボルト１２によって吊持されている。
【００１４】
このようなホール天井における耐震スリット構造によって、地震時において壁側から配設される仕上げ材８，１０，１１に対して、天井５の周縁部５ａ，５ｂが自由に前後・左右の水平方向に移動することができて損傷を免れるとともに、照明等の器具の空間部９であって観客から見えない部分、即ち、客席から天井周縁部に向ける視線方向の逆側の部分で縁を切っているので、外観上の見栄えが損なわれることがない。
【実施例２】
【００１５】
図５に示すように、前記左右の壁４に到るまで配設した天井仕上げ材８は、天井スラブ１３から吊りボルト１２及びブレース１５で補強して固定されるとともに、壁下地材４ａの上端面に至って配設されている。即ち、天井仕上げ材の「勝ち」になっている。このようにすることで、例えば、図２に示す場合では、壁下地４ａを受ける鉄骨材１４が天井スラブ１３に到るまで設けられているが、図５に示す実施例２では、補強された天井仕上げ材８および天井下地材８ａが、いわゆる「勝ち」の取り合いになっていて、壁下地４ａから天井スラブ１３に到る鉄骨材が不要となる。これによって、コストを低減させることができる。
【産業上の利用可能性】
【００１６】
本発明に係るホール天井における耐震スリット構造は、耐震構造として天井に縁切りさせる場合のホール天井に広く適用できるものである。
【符号の説明】
【００１７】
１          空間部（ホール）、
２          ステージ、
３          客席、
４          壁、                      ４ａ          壁下地材、
５          天井、                    ５ａ，５ｂ    周縁部、
５ｃ        天井仕上げ材、  
６          見切り縁、                ６ａ          上端面、
７          スリット、    
８          天井仕上げ材、            ８ａ          天井下地材、
９          間接照明等の空間、
１０        天井仕上げ材、            １０ａ        縁部、  
１１        天井仕上げ材、
１２        吊りボルト、        
１３        天井スラブ、
１４        鉄骨材、
１５        ブレース。
【図１−Ａ】
0005588373.tif 000002
【図１−Ｂ】
0005588373.tif 000003
【図２】
0005588373.tif 000004
【図３】
0005588373.tif 000005
【図４】
0005588373.tif 000006
【図５】
0005588373.tif 000007
【図６】
0005588373.tif 000008